(57)【要約】  本発明は、次のような形式のスイッチングキャビネット制御監視システムに関する。すなわち、少なくとも１つのスイッチングキャビネット（Ｇ１．．．Ｇｎ）と、制御監視装置（ＵＳ，ＵＳ１）と、操作情報システムとを有し、該操作情報システムは、遠隔操作のために構成されたユーザコンポーネントとデータ処理コンポーネントとデータ伝送コンポーネントと記憶コンポーネントとを有し、かつユーザガイド装置およびコンフィギュレーション装置とを有する。個別に適合され容易に操作できるシステムを実現するため、操作情報システムはさらに供給者装置（ＲＳ）内に、少なくとも１つのスイッチングキャビネットとスイッチングキャビネットコンポーネントとを選択的に組み合わせて１つの個別のユーザシステム（ＮＡ，ＮＡ１）を構成するためのプランニング装置を有し、該プランニング装置には種々のスイッチングキャビネット（Ｇ１．．．Ｇｎ）およびスイッチングキャビネットコンポーネントの提供データが含まれており、これらの提供データから、少なくとも１つのスイッチングキャビネットと、スイッチングキャビネットコンポーネントに関するプランニングデータとから成る選択されたシステムが抽出されるように構成されている。
2008527868.tif 000002
【特許請求の範囲】
【請求項１】
少なくとも１つのスイッチングキャビネット（Ｇ１．．．Ｇｎ）と制御監視装置（ＵＳ，ＵＳ１）と操作情報システムとを有するスイッチングキャビネット制御監視システムであって、
該操作情報システムは、遠隔操作のために構成されたユーザコンポーネントとデータ処理コンポーネントとデータ伝送コンポーネントと記憶コンポーネントとを有し、かつユーザガイド装置およびコンフィギュレーション装置を有する形式のものにおいて、
該操作情報システムはさらに供給者装置（ＲＳ）において、少なくとも１つのスイッチングキャビネットとスイッチングキャビネットコンポーネントとを選択的に組み合わせて個別のユーザシステム（ＮＡ，ＮＡ１）を構成するためのプランニング装置を有し、
該プランニング装置には、異なるスイッチングキャビネット（Ｇ１．．．Ｇｎ）およびスイッチングキャビネットコンポーネントの提供データが含まれており、
該提供データから、少なくとも１つのスイッチングキャビネットとスイッチングキャビネットコンポーネントに該当するプランニングデータとから成る選択された構成が抽出されるように構成されていることを特徴とする、スイッチングキャビネット制御監視システム。
【請求項２】
前記データ処理コンポーネントが、前記プランニングデータを結合し、該プランニングデータに基づいて前記コンフィギュレーション装置（ＫＳ）を使用してコンフィギュレーションデータを作成するように構成され、該コンフィギュレーションデータは個別のシステムデータを有するように構成されている、請求項１記載のスイッチングキャビネット制御監視システム。
【請求項３】
少なくとも１つのスイッチングキャビネットの物理的状態を動作コンポーネントおよび監視コンポーネントによって制御および監視する際に前記システムデータが使用される、請求項２記載のスイッチングキャビネット制御監視システム。
【請求項４】
前記コンフィギュレーションデータは、前記ユーザシステム（ＮＡ，ＮＡ１）に適合されたパラメータデータを有し、
該パラメータデータは、設定データおよび／または性能データを有する、請求項２または３記載のスイッチングキャビネット制御監視システム。
【請求項５】
前記データ処理コンポーネントは、前記供給者装置（ＲＳ）の監視制御データ作成部（ＵＳＳ）において制御データおよび監視データを作成するように構成されており、
該制御データおよび監視データは、前記プランニングデータに相応して作成された個別のユーザシステム（ＮＡ，ＮＡ１）の制御監視装置（ＵＳ，ＵＳ１）へ供給され、該ユーザシステム（ＮＡ，ＮＡ１）を制御および監視するために使用される、請求項２から４までのいずれか１項記載のスイッチングキャビネット制御監視システム。
【請求項６】
供給者側で作成された前記制御データおよび監視データはユーザに対して、該ユーザのユーザシステム（ＮＡ，ＮＡ１）の制御監視装置の操作可能なデータ担体上に読み込むように提供されるか、または、前記供給者装置（ＲＳ）のメモリから呼び出し可能であるように提供される、請求項５記載のスイッチングキャビネット制御監視システム。
【請求項７】
各ユーザシステム（ＮＡ，ＮＡ１）ごとに制御監視装置（ＵＳ，ＵＳ１）が設けられている、請求項１から６までのいずれか１項記載のスイッチングキャビネット制御監視システム。
【請求項８】
各制御監視装置（ＵＳ，ＵＳ１）ごとに複数の制御コンポーネントおよび監視コンポーネントが設けられている、請求項１から７までのいずれか１項記載のスイッチングキャビネット制御監視システム。
【請求項９】
複数のスイッチングキャビネット（Ｇ１．．．Ｇｎ）が１つのユーザシステム（ＮＡ，ＮＡ１）内に設けられている場合、前記監視制御装置（ＵＳ，ＵＳ１）内で複数の制御監視ユニットが相互にネットワーク接続されている、請求項１から８までのいずれか１項記載のスイッチングキャビネット制御監視システム。
【発明の詳細な説明】
【技術分野】
【０００１】
本発明は、次のような形式のスイッチングキャビネット制御監視システムに関する。すなわち、少なくとも１つのスイッチングキャビネットと、制御監視装置と、操作情報システムとを有し、該操作情報システムは、遠隔操作のために構成されたユーザコンポーネントとデータ処理コンポーネントとデータ伝送コンポーネントと記憶コンポーネントとを有し、かつユーザガイド装置およびコンフィギュレーション装置とを有する。
【０００２】
このようなスイッチングキャビネット制御監視システムはＥＰ１２６０００１Ｂ１に記載されている。このスイッチングキャビネット制御監視システムはスイッチングキャビネット空調装置内に構成されており、スイッチングキャビネット冷却機の監視および制御に基づいており、サーバが設けられ、ネットワークを介して遠隔地から操作可能である。たとえばパーソナルコンピュータを有する操作ユニットは、該パーソナルコンピュータに所属する従来のネットワークブラウザによって、分かりやすい操作手段を提供する。冷却機制御部に所属する遠隔のサーバ内には種々のデータが格納されており、たとえば冷却機の構成および操作に関するドキュメントが格納されているので、このようなデータをパーソナルコンピュータの操作面上に可視化して、たとえば該冷却機の設定をチェックし、必要な場合には相応に再設定するのに使用することができる。このような構成ではユーザは多岐にわたる設定手段を有し、場合によっては種々のシステム前提条件を考慮しなければならない。
【０００３】
スイッチングキャビネットの制御手段および監視手段から広範に及ぶスイッチングキャビネット用制御監視システム、すなわち、冷却機制御にとどまらず空調装置にも限定されないスイッチングキャビネット用制御監視システムが、その点で基礎となっているＷＯ９７／３４３４５に開示されている。この公知の制御監視装置では、スイッチングキャビネットを制御および監視するために、スイッチングキャビネットの取り付けユニットおよび／または増設ユニットの状態に対する種々の監視用および制御用のモジュールがデータ交換のために、部分的に中間ユニットを介して中央制御装置に接続されている。空調装置は種々の空調コンポーネントを有し、とりわけ熱交換器および／またはファンおよび／または冷却機および／または１つまたは複数の加熱部および／またはカスタマ用ファンを有する。このカスタマ用ファンは、カスタマが任意に接続できるものである。さらに、複数の異なるセンサが設けられ、たとえば湿度センサ、凝縮センサ、ドアリミットスイッチ、温度センサ、振動センサ、騒音センサ、電流および／または電圧を変換するための測定変換器を有し、さらに、電源網給電式またはたとえばバッテリー蓄電式で給電するための給電ユニットも有する。さらに、遠隔メンテナンス用のプログラミング接続ユニットとローカルの表示ユニットが設けられている。スイッチングキャビネットに接続されたこのような制御監視装置は、次のことを可能にする。すなわち該スイッチングキャビネットを、まったく異なる種類の多くの異なる使用条件で使用し、たとえば高温の大気中で、または高湿度の空間内で、または破壊される危険にさらされる環境で使用することを可能にする。しかし、そのつどの設定は相応の知識を前提とし、当業者によって最良に実施しなければならない。
【０００４】
さらに、同出願人の次のような特許および特許出願が存在する。すなわち、スイッチングキャビネットのこのような制御監視ユニットの種々の接続を対象とし、たとえば、制御監視ユニットがマスタとしてたとえばローカルネットワークを介して、場合によっては比較的大きな距離を介して、スレーブとして動作する別の制御監視ユニットに接続されているマスタ装置／スレーブ装置に関する特許および特許出願が存在する。
【０００５】
スイッチングキャビネットないしはラック用のこのような制御監視ユニット、たとえば１つまたは複数の接続されたスイッチングキャビネットをフレキシブルに使用できるようにする制御監視ユニットないしはラックに関する特許または特許出願も存在する。
【０００６】
本発明の課題は、次のようなスイッチングキャビネット制御監視システムを提供することである。すなわちユーザに対して、ユーザの要求に最適に適合されたスイッチングキャビネットまたはスイッチングキャビネットシステムのフレキシブルかつ個別な使用範囲を容易に提供するスイッチングキャビネット制御監視システムを提供することである。
【０００７】
この課題は、請求項１の特徴によって解決される。ここでは、操作情報システムはさらに供給者装置内に、少なくとも１つのスイッチングキャビネットとスイッチングキャビネットコンポーネントとを選択的に組み合わせて１つの個別のユーザシステムを構成するためのプランニング装置を有し、該プランニング装置には種々のスイッチングキャビネットおよびスイッチングキャビネットコンポーネントの提供データが含まれており、これらの提供データから、少なくとも１つのスイッチングキャビネットと、スイッチングキャビネットコンポーネントに関するプランニングデータとから成る選択されたシステムが抽出されるように構成されている。
【０００８】
このように構成された操作情報システムによって、ユーザに対し、該ユーザの個別の要求に正確に適合されたユーザシステムを編成し、このようなユーザシステムの作成後には容易な操作および監視の手段が実現される。データは供給者側ないしは工場側で、ユーザに対して編成された１つのスイッチングキャビネットおよび／または複数のスイッチングキャビネット内部のコンポーネントに依存して計算されてプランニングデータが算出されるので、編成された個別のユーザシステムにちょうど適合される。これによって、ユーザは過剰な付加的データなしで、ビジュアル装置および入力装置のユーザガイド装置と相応に適合された操作面とを介して、装置が作成される際に所望の設定を容易に行うことができる。
【０００９】
このような構成ではさらに、ユーザがさらに操作しやすくなるように、次のように構成される。すなわちデータ処理コンポーネントが、プランニングデータを結合し、これに基づいてコンフィギュレーション装置を使用してコンフィギュレーションデータを作成するように構成され、このコンフィギュレーションデータは個別のシステムデータを有するように構成される。このようなコンフィギュレーションデータによって、個別のユーザシステムを制御および監視するために自動的に正確に適合されたインタフェースが実現される。
【００１０】
ユーザに対してさらに簡略化するためには、少なくとも１つのスイッチングキャビネットの物理的状態を動作コンポーネントおよび監視コンポーネントによって制御および監視する際に前記システムデータを考慮する。システムデータ、または場合によっては、該システムデータを含むコンフィギュレーションデータを自動的に考慮するので、ユーザはこれらを個別に自分で入力する必要はなく、たとえばこれらのデータは、ユーザに対して提供されているソフトウェアによって制御監視装置に入力することができる。
【００１１】
ここではコンフィギュレーションデータが、ユーザシステムに適合されたパラメータデータを有し、該パラメータデータはコンポーネントの設定データおよび／または性能データを有する構成が有利である。
【００１２】
個別のユーザシステムの操作をさらに容易にするためには、データ処理コンポーネントが制御データおよび監視データを供給者装置の監視データおよび制御データの作成部で作成するように構成されており、制御データおよび監視データは、プランニングデータに相応して作成された個別のユーザシステムの制御監視装置へ供給され、これを制御および監視するために使用されるように構成される。このようにして自動的に作成された制御データおよび監視データによって、ユーザは該ユーザのシステムを自分で容易に動作させることができ、所望する場合には、ユーザガイド装置を介してパラメータ設定（たとえば閾値、アラーム限界）の変化も容易に変化することができる。
【００１３】
ユーザにデータを供給する種々の有利な手段は、供給者側で作成された制御データおよび監視データをユーザに対して、該ユーザのユーザシステムの制御監視装置の操作可能なデータ担体上に読み込むように提供するか、または、供給者装置のメモリから呼び出し可能であるように提供することである。
【００１４】
システムの有利な構成の１つに、制御監視装置がユーザシステムごとに設けられている構成がある。
【００１５】
別の有利な構成の１つに、制御監視装置ごとに複数の制御監視コンポーネントが設けられている構成がある。このような制御監視コンポーネントはたとえば、冷却機、別の空調ユニット、センサユニット、エネルギー供給ユニットまたはアクチュエータである。
【００１６】
別の有利な構成の１つに、複数のスイッチングキャビネットが１つのユーザシステムに設けられている場合、複数の制御ユニットおよび監視ユニットが監視制御装置内で相互にネットワーク接続されている構成がある。個々のスイッチングキャビネットの制御監視ユニットはこのようにして、とりわけローカルネットワークを介してまとめられて、一緒の制御監視装置を構成することができ、たとえば１つの制御監視ユニットをマスタとして構成し、他の制御監視ユニットをスレーブとして構成することができる。
【００１７】
以下で、本発明の実施例を図面に基づいて詳しく説明する。
【００１８】
図面
図１  スイッチングキャビネット制御監視システムを概略的なブロック図で示す。
図２  ユーザ側の操作エレメントを示す。
図３  図２に示された操作エレメントを有するシステムコンフィギュレーションのユーザ側のビジュアル表示部を示す。
図４  図３に示されたビジュアル表示部の別の表示を示す。
図５  制御監視動作に関するユーザ側のビジュアル表示部を示す。
図６  制御監視動作における別の表示による図５のビジュアル表示部を示す。
【００１９】
図１に概略的に示されたスイッチングキャビネット制御監視システムは、たとえば一般的にアクセス可能なネットワークＮＷに接続された工場側ないしは供給者側の供給者装置ＲＳを有し、この供給者装置を介して、同様にネットワークＮＷを介して接続されたカスタマ側のユーザＮが提供データを呼び出して、１つまたは複数のスイッチングキャビネットと、場合によっては使用すべきスイッチングキャビネットコンポーネントとから固有のシステムを個別に編成することができる。ユーザＮが個別のシステムを編成した後に操作する場合、このユーザシステムＮＡ，ＮＡ１は該ユーザの依頼に相応して納品されて設置され、たとえばこのユーザシステムＮＡ，ＮＡ１もまた、一般的にアクセス可能であるかまたは企業内部のネットワークに接続されるか、またはローカルネットワーク内に組み込まれ、ユーザＮは該ユーザの少なくとも１つのユーザシステムＮＡ，ＮＡ１を遠隔地からでも検査および操作できるようになる。
【００２０】
提供データを供給するために、供給者ＲＳはプランニング装置ＰＳを有する。このプランニング装置ＰＳ内には、供給者によって提供される種々のスイッチングキャビネット、ラックおよびスイッチングキャビネットコンポーネント等が、たとえばカタログの形態または別の表現形態で電子的に格納されている。ここではスイッチングキャビネットないしはコンポーネントには、イメージおよび注文データの他に、特性および寸法に関する情報と、場合によっては、たとえば性能要求または提供される性能等の物理的な値に関する情報とが所属している。このような提供データによって、カスタマは個別にユーザシステムをリアルタイム（オンライン）で編成することができる。プランニング装置ＰＳはたとえば、カスタマが空間的な条件を入力し、個別の要望ないしは要求をインタラクティブに取り込めるように構成される。たとえば、空間の幾何的な寸法、空間空調の特性、たとえばカバーを介して行われる損失熱の排熱と、底部を介して行われる冷気の供給等、または空間の利用分が入力される。プランニングでは、このようなカスタマ側の設定も考慮することができる。
【００２１】
さらに、供給者装置ＲＳはコンフィギュレーション装置ＫＳを有し、このコンフィギュレーション装置ＫＳによって、プランニングで得られたデータをコンフィギュレーションデータに変換する。このコンフィギュレーション装置ＫＳはたとえば、プランニングデータに基づくコンポーネントの特性を相互に結合して、コンポーネントのカスタマ要求に相応して可能な限り有効である編成を、場合によってはプランニング装置ＰＳとのデータ交換で供給し、物理的なパラメータも適切に選択するように構成されている。たとえば、人が滞在する空間内では、作業時間中には可能な限り静かにファンを作動し、その他の時間では可能な限り小さいエネルギー消費を優先することが目的に適っている。このようにプランニングデータをコンフィギュレーションデータに変換するために、コンフィギュレーション装置ＫＳに、カスタマ要求に応答する相応のプログラムが設けられる。
【００２２】
さらに供給者装置ＲＳ内には、監視制御データ作成のための装置ＵＳＳ（図面および原文では
2008527868.tif 000003
に相当）が配置されている。この監視制御データ作成部ＵＳＳによって監視データおよび制御データが生成され、これらのデータはプランニングデータおよびコンフィギュレーションデータの作成終了後にユーザに対して、たとえば操作可能なデータ担体（たとえばＣＤ，メモリカード、メモリスティック）に記憶されるか、またはネットワークＮＷを介してアクセスするための供給者側の記憶装置に記憶されて、個別のユーザシステムＮＡ，Ｎ１の編成に相応して供給される。
【００２３】
ユーザＮによる個別のユーザシステムＮＡ，ＮＡ１の編成に相応してユーザシステムＮＡないしはＮＡ１は構成され、ユーザＮの要望に応じて、ネットワークＮＷを介して、または別のデータ伝送経路を介して、該ユーザＮの操作装置に接続される。ユーザシステムＮＡは、ここではたとえば複数のスイッチングキャビネットＧ１．．．Ｇｎを有する。これらのスイッチングキャビネットＧ１．．．Ｇｎは種々の機能を果たすことができ、たとえばサーバを収容し、かつ／または、中断なしの給電を行うための給電装置を備え、かつ／または、冷却装置を有することができる。さらに、ユーザシステムＮＡ，ＮＡ１はそれぞれ制御監視装置ＵＳ（図面および原文では
2008527868.tif 000004
に相当）ないしはＵＳ１（図面および原文では
2008527868.tif 000005
に相当）を有する。これらは相互にデータ交換接続することもでき、たとえばユーザＮを介して、すなわちデータ処理装置を介して接続することができる。制御監視装置ＵＳ, ＵＳ１は、ここではたとえば、複数の制御ユニットおよび監視ユニットから構成され、これらの制御ユニットおよび監視ユニットはたとえばローカルネットワークを介して相互に接続されている。このような構成では、各スイッチングキャビネットＧ１．．．ＧｎないしはＧ１１，Ｇ２１にそれぞれ専用の制御監視ユニットが配属されるのが目的に適っている。このように構成された制御監視装置ＵＳおよびＵＳ１内の構成はたとえば、制御監視ユニットのうち１つがマスタとして構成され、その他の制御監視ユニットはスレーブとして構成されて該マスタにデータを供給するように構成される。ここでは、このマスタは主制御機能を担当し、プログラミングに応じて個々の制御監視ユニットに作用することができる。スイッチングキャビネットが１つだけ設けられている場合には、中央の制御監視装置を１つだけ使用し、この制御監視装置に、スイッチングキャビネット内に設けられた種々の監視コンポーネントおよび制御コンポーネントのデータが供給されるか、ないしは、冒頭に挙げたＷＯ９７／３４３４５に記載されているように、該制御監視装置とデータが双方向接続で交換されるのが目的に適っている。
【００２４】
ユーザＮには、個別に編成されたユーザシステムＮＡないしはＮＡ１のデータが上記のように供給されるので、ユーザＮはユーザシステムの構成に応じてこれらのデータを、該当する制御監視ユニットＵＳ，ＵＳ１へ、たとえば該ユーザＮの操作装置ないしは作業場所から操作面を使用して供給することができる。ここではユーザには、ユーザガイド装置が提供されている。別の手段に、データ（制御データおよび監視データ）をカスタマから直接、制御監視装置の場所ＵＳ，ＵＳ１で供給される構成がある。いずれにせよ、制御データおよび監視データの供給後、該当する制御監視装置はユーザシステムＮＡ，ＮＡ１の個別の構成に正確に相応して、該制御データおよび監視データに適合されるので、ユーザＮは操作面を介して、不必要な付加的情報なしで遠隔メンテナンスないしは遠隔操作を所期のように行うことができる。
【００２５】
図２は、ユーザＮのビジュアル表示部に表示された操作ボタンの形態のユーザ側の操作エレメントＢＥの一例を示す。これは、種々の機能に割り当てられた複数のエレメントから成る。ユーザシステムＮＡ，ＮＡ１のコンフィギュレーションを行うため、ユーザはたとえば、表示された「コンフィギュレータ開始」ボタンを使用して、種々のコンポーネントの機能および効果をビジュアル表示部上に表示することもできる。
【００２６】
図３はたとえば、コンフィギュレータの動作時のビジュアル表示部ＢＳを示す。このユーザビジュアル表示部ＢＳ上には、システムフィールドＡＦではシステムに関する指示が表示され、画像表示フィールドＢＤでは該当するコンポーネントの画像表示が表示され、設定フィールドＥＦには物理的特性が表示され、このユーザビジュアル表示部ＢＳ上には操作エレメントＢＥも表示される。
【００２７】
図４は、コンフィギュレータ動作中のユーザビジュアル表示部ＢＳ上の別の表示を示す。この（図３より拡大された）画像表示フィールドＢＥ上には、カスタマの空間内の複数のスイッチングキャビネットの構成、たとえばコンピュータ室内の複数のスイッチングキャビネットの構成が表示されている。
【００２８】
図５および６は、すでに作成されたユーザシステムＮＡ，ＮＡ１の制御監視動作中の検査および操作中のユーザビジュアル表示部ＢＳ上の種々の表示を示す。ユーザは操作面上で、ユーザシステムＮＡないしはＮＡ１を有する該ユーザの空間を表示させ、たとえばスイッチングキャビネットＧ１．．．Ｇｎのうち１つのスイッチングキャビネットにおける条件を表示させることができる。ここでは（それ自体に公知の）ウィンドウ技術が選択されている。また、ラックまたはキャビネット内部の個々のコンポーネントを検査することもできる。要望があれば、別の設定を行うこともできる。また、たとえば空間内に設置されたネットワークカメラまたは該空間内に設置された別のセンサを介して該空間全体を監視することもできる。この別のセンサは、たとえば温度センサおよび／または湿度センサである。このようにして、検出された状態に依存して遠隔操作によってユーザが適切に応答することができる。
【００２９】
ここに記載された構成により、システム全体で個々のコンポーネントの制御および監視を相互に依存して行うことができ、高セキュリティおよび経済性の観点で満足できるようになる。このようにして、プランニングを開始するだけで、コンフィギュレーションによって構成の最適化が実現されると同時に、遠隔操作が簡単になる。個々のコンポーネントの監視および制御によって、モジュール的な空調構想と、さらには別の制御監視構想とが実現される。たとえば、以下の機能に関する制御手段および監視が実現される：
スイッチングキャビネットないしはラック内部の温度経過の分析
背面冷却設備も含めた空調コンポーネントないしは冷却機の監視
進行、戻り
圧力  
立入監視
中断なしの給電部の動作状態の監視
ファンおよび中断なしの給電設備の動作時間の分析（予防的なメンテナンス）
エネルギー供給ないしはエネルギー消費のアクティブなガイド。ここでは、場合によって設けられているコンセントスペースを個別に監視して制御することができる。
サーバルームのビデオ監視
エラーが発生した場合、日付および時刻とともに該エラーを記録および分析する。
【図面の簡単な説明】
【００３０】
【図１】スイッチングキャビネット制御監視システムを概略的なブロック図で示す。
【図２】ユーザ側の操作エレメントを示す。
【図３】図２に示された操作エレメントを有するシステムコンフィギュレーションのユーザ側のビジュアル表示部を示す。
【図４】図３に示されたビジュアル表示部の別の表示を示す。
【図５】制御監視動作に関するユーザ側のビジュアル表示部を示す。
【図６】制御監視動作における別の表示による図５のビジュアル表示部を示す。
【図１】
2008527868.tif 000006
【図２】
2008527868.tif 000007
【図３】
2008527868.tif 000008
【図４】
2008527868.tif 000009
【図５】
2008527868.tif 000010
【図６】
2008527868.tif 000011
【国際調査報告】
2008527868.tif 000012
2008527868.tif 000013
2008527868.tif 000014
2008527868.tif 000015
2008527868.tif 000016
2008527868.tif 000017